(57)【要約】【課題】キャスティング段階における遠投性能を維持しつつ、リトリーブ段階で要求される低重心性にも対応することのできるルアーを提供する。【解決手段】横長の本体１２と、本体１２における長手方向の一方側に取り付けられたラインアイ１４と、本体１２における長手方向の他方側に取り付けられた針２０と、重心移動用の錘１６と、内部に錘１６を収容する錘収容空間２４を有する錘収容部１８とを備えるルアー１０において、錘収容部１８の一部１８ａを本体１２におけるラインアイ１４側の底部から外方に突設させ、錘収容部１８の一部１８ａ内の突出部２４ａに錘１６を収容したときに、錘１６の重心Ｇが本体１２の外側に位置するように錘収容部１８の錘収容空間２４を形成することで上記課題を解決することができる。【選択図】図２
2010088354.tif 000002
【特許請求の範囲】
【請求項１】
横長の本体と、
前記本体における長手方向の一方側に取り付けられたラインアイと、
前記本体における長手方向の他方側に取り付けられた針と、
重心移動用の錘と、
内部に前記錘を移動可能に収容する錘収容空間を有し、その一部が前記本体における前記ラインアイ側の底部から外方に突設され、残部が前記本体の内部において長手方向にて前記針側に延びた錘収容部とを備えており、
前記錘収容空間は、前記本体の外側に突出した突出部から前記針側にかけて延び、かつ、前記突出部内に前記錘を移動させたとき、前記錘の重心が前記本体の外側に位置するように形成されていることを特徴とするルアー。
【請求項２】
横長の本体と、
前記本体における長手方向の一方側に取り付けられたラインアイと、
前記本体における長手方向の他方側に取り付けられた針と、
重心移動用の錘とを備えるルアーにおいて、
前記本体には、前記ラインアイ側の底部に開口し、前記錘を移動可能に収容する内部空間となる穴が前記本体内の長手方向に設けられており、
前記穴の開口には、内部に前記錘を収容する錘収容空間を有し、前記錘収容空間と外部とを連通する連通孔が設けられた錘収容部材が前記開口を覆うようにして取り付けられており、
前記内部空間と前記錘収容空間とは、互いに連通されて前記錘が前記内部空間と前記錘収容空間とを往来できるようになっており、
前記錘収容空間は、収容した前記錘の重心が前記本体の外側に位置するように形成されていることを特徴とするルアー。
【発明の詳細な説明】
【技術分野】
【０００１】
本発明は、重心を移動させることにより、キャスティング段階における飛距離を長くするとともに、リトリーブ段階における良好な水中姿勢を得ることのできるルアーに関する。
【背景技術】
【０００２】
近年、淡水魚ではブラックバス、海水魚ではスズキに代表される、小魚やエビなどを捕食する魚介類（イカやタコなども含む、以下、単に「魚」という。）を捕獲する手段として、生きた餌ではなく、疑似餌（以下、「ルアー」という。）を用いるルアーフィッシングが普及しており、愛好者の数は増加の一途を辿っている。
【０００３】
ルアーフィッシングは、釣り人が所望のポイントめがけてルアーを投げるキャスティング段階と、ルアーが着水した後、釣り人がリールを巻き上げつつロッドを動かし、ルアーにアクションを付与して魚をルアーに食いつかせるリトリーブ（＝巻き上げ）段階とに大別することができ、それぞれの段階でルアーの最適な重心位置が異なる。
【０００４】
すなわち、キャスティング段階では、ルアーをより遠くへ投げるため、ルアーの重心位置は、釣糸を結びつける輪状部分（以下、「ラインアイ」という。）からできるだけ遠くに位置している方が好ましい。なぜならば、キャスティングの際、ルアーは、ラインアイを後端として飛ぶ（つまり、ラインアイが取り付けられたのとは反対側の端部を先頭にして飛ぶ。）ので、ルアーの重心がラインアイから遠くに位置すればするほど（ラインアイが取り付けられたのとは反対側の端部に近づくほど）、キャスティング中におけるルアーの重心位置が先頭に来ることになり、ルアーのブレを抑えてより遠くへ投げることができるからである。
【０００５】
一方、リトリーブ段階では、ルアーの重心は、ラインアイ側に位置する方が好ましい。なぜならば、本物の小魚やエビなどは、頭部をやや下に向けた状態が普通の姿であり、ルアーの重心がラインアイ側（＝ルアーの頭部）に位置することにより、ルアーのラインアイ側を下に向けてルアーの水中姿勢をより本物の小魚に似せることができるからである。
【０００６】
そこで、キャスティング段階とリトリーブ段階とで重心位置を変えることのできるルアーが開発されている（例えば、特許文献１）。
【０００７】
特許文献１のルアー１では、図７に示すように、重心移動用の錘２がルアー１の内部において長手方向に移動自在に収容されている。これにより、キャスティング段階においては、錘２がキャスティングによる遠心力で針４側（つまり、ラインアイ３から遠くなる位置）へ移動し、ルアー１の重心位置が遠投方向の先頭により近くなり、ルアー１のブレを抑えて遠くへ投げることができる。
【０００８】
また、リトリーブ段階においては、錘２がラインアイ３に近接する方向へ移動してルアー１の重心位置がラインアイ３に近くなり、ルアー１は、そのラインアイ３側（＝頭部）をやや下に向けた良好な水中姿勢となる。
【特許文献１】特開２００１−２９９１５４号公報
【発明の開示】
【発明が解決しようとする課題】
【０００９】
しかしながら、特許文献１のルアー１は、重心移動用の錘２がルアー１の本体の内部で移動するにすぎないことから、リトリーブ段階におけるルアー１の水中姿勢をより前のめりにして、より小魚やエビなどに似せたい場合、すなわち、より低重心性が必要な場合に対応することができなかった。
【００１０】
このように、より低重心性が必要な場合に対応するため、図８に示すように、ルアー５の底面５ａにおけるラインアイ６側に重心移動用の錘７とは別に姿勢改善用の錘８を備えたルアー５が開発されている。
【００１１】
しかし、図８に示すルアー５の場合、今度はキャスティング段階において、ルアー５の重心が図７に示すルアー１に比べてラインアイ６側に位置することとなり、ルアー５にブレが生じて遠くへ投げることが困難になる。
【００１２】
本発明は、このような従来技術の問題に鑑みて開発されたものである。それゆえに本発明の主たる課題は、キャスティング段階における遠投性能を維持しつつ、リトリーブ段階で要求される低重心性にも対応することのできるルアーを提供することにある。
【課題を解決するための手段】
【００１３】
請求項１に記載した発明は、「横長の本体１２と、
前記本体１２における長手方向の一方側に取り付けられたラインアイ１４と、
前記本体１２における長手方向の他方側に取り付けられた針２０と、
重心移動用の錘１６と、
内部に前記錘１６を移動可能に収容する錘収容空間２４を有し、その一部１８ａが前記本体１２における前記ラインアイ１４側の底部から外方に突設され、残部１８ｂが前記本体１２の内部において長手方向にて前記針２０側に延びた錘収容部１８とを備えており、
前記錘収容空間２４は、前記本体１２の外側に突出した突出部２４ａから前記針２０側にかけて延び、かつ、前記突出部２４ａ内に前記錘１６を移動させたとき、前記錘１６の重心Ｇが前記本体１２の外側に位置するように形成されていることを特徴とするルアー１０」である。
【００１４】
本発明のルアー１０では、錘収容空間２４は、本体１２の外側に突出した突出部２４ａから針２０側にかけて延びており、突出部２４ａに錘１６を移動させたとき、錘１６の重心Ｇは、本体１２の外側に位置するように形成されている。
【００１５】
このため、本発明のルアー１０を使用してルアーフィッシングを行う際、キャスティング段階では、遠心力を受けた錘１６が錘収容空間２４内をラインアイ１４から遠のく方向、つまり、針２０が取り付けられた、ルアー１０の先頭方向へ移動することになる。これにより、キャスティング中におけるルアー１０の重心位置が先頭側に来ることになり、ルアー１０のブレを抑えてより遠くへ安定して投げることができる。
【００１６】
また、ルアー１０がポイントに着水し、釣り人がリールを巻き始めたリトリーブ段階において、錘１６は、本体１２におけるラインアイ１４側の底部から外方に突設された錘収容部１８の一部１８ａ内の突出部２４ａに移動する。このとき、錘１６の重心Ｇは、本体１２の外側に位置することになり、ルアー１０の重心位置をより低くすることができる。
【００１７】
請求項２に記載した発明は、「横長の本体５２と、
前記本体５２における長手方向の一方側に取り付けられたラインアイ５４と、
前記本体５２における長手方向の他方側に取り付けられた針６０と、
重心移動用の錘５６とを備えるルアー５０において、
前記本体５２には、前記ラインアイ５４側の底部に開口し、前記錘５６を移動可能に収容する内部空間Ａとなる穴６４が前記本体５２内の長手方向に設けられており、
前記穴６４の開口６２には、内部に前記錘５６を収容する錘収容空間６６を有し、前記錘収容空間６６と外部とを連通する連通孔６８が設けられた錘収容部材５８が前記開口６２を覆うようにして取り付けられており、
前記内部空間Ａと前記錘収容空間６６とは、互いに連通されて前記錘５６が前記内部空間Ａと前記錘収容空間６６とを往来できるようになっており、
前記錘収容空間６６は、収容した前記錘５６の重心Ｇが前記本体５２の外側に位置するように形成されていることを特徴とするルアー５０」である。
【００１８】
この発明のルアー５０では、図６に示すように、本体５２内において長手方向に設けられた内部空間Ａと、本体５２におけるラインアイ５４側の底部に取り付けられた錘収容部材５８内の錘収容空間６６とが互いに連通されており、錘５６は、内部空間Ａと錘収容空間６６とを往来できるようになっている。
【００１９】
これにより、請求項１のルアー１０と同様、キャスティング段階では、遠心力を受けた錘５６が穴６４の底部、つまり、ラインアイ５４から遠のく方向（＝針６０が取り付けられた、ルアー５０の先頭方向）へ移動することにより、キャスティング中におけるルアー５０の重心位置が先頭側に来ることになり、ルアー５０のブレを抑えてより遠くへ安定して投げることができる。
【００２０】
また、リトリーブ段階において、錘５６は、内部空間Ａをラインアイ５４の方向へ移動し、最終的に錘収容部材５８の錘収容空間６６内に収容される。このとき、錘収容空間６６内に収容された錘５６の重心Ｇは、本体５２の外側に位置することになり、ルアー５０の重心位置をより低くすることができる。
【発明の効果】
【００２１】
このように、本発明によれば、キャスティング段階における遠投性能を維持しつつ、錘の重心を本体の外側に位置させることにより、リトリーブ段階で要求される低重心性にも対応することのできるルアーを提供することができる。
【発明を実施するための最良の形態】
【００２２】
以下、本発明を図示実施例に従い、まず、第１実施例について説明し、続いて、第２実施例について説明する。なお、第２実施例の説明における第１実施例との共通部分については、第１実施例の説明を援用してその説明を省略し、相違部分を中心に説明する。また、各実施例では、イカ釣りに用いられる「エギ」（＝ルアーの一種）を例にとって説明するが、本発明は、「エギ」に限られることはなく、ブラックバスやスズキ等に用いられる他のルアーにも当然に適用することができる。
【００２３】
（第１実施例）
第１実施例に係るルアー１０は、図１および図２に示すように、大略、本体１２と、ラインアイ１４と、錘１６と、錘収容部１８と、針２０と、ヒレ２２、目２３とで構成されている。
【００２４】
本体１２は、釣りの対象であるイカが好むエビを模した横長形状に形成されており、その材料として合成樹脂が使用されている（もちろん、バルサ等の木材など他の材料を使用してもよい。）。また、本体１２の表面にオレンジ色やピンク色で着色してもよいし、縞模様を描いてもよい。このような着色ないし模様を施すことにより、ルアー１０をよりエビに似せて釣果の増大につながるからである。さらに、本体１２の表面に着色ないし模様を施した網目状の布を貼着してもよい。網目の凹凸により、イカの吸盤が本体１２にへばりついて、釣り上げたイカが本体１２から取り外し難くなるのを回避することができるからである。
【００２５】
また、本体１２は、中空構造になっており、その内部空間から外側にまたがって錘収容部１８が配設されている（この点については、後に詳述する。）。もちろん、本体１２と錘収容部１８とを一体的に形成してもよい。また、本体１２は中実構造であってもよく、その場合、錘収容部１８の一部を配設するための空洞を形成する必要がある。
【００２６】
ラインアイ１４は、図示しない釣糸（ライン）が結びつけられる略輪状の金属部材であり、本体１２における長手方向の一方側（本実施例では、一方側端部）に強固に取り付けられている。
【００２７】
錘収容部１８は、後に詳述する錘１６を移動可能に収容する錘収容空間２４を内部に有し、その一部１８ａが本体１２におけるラインアイ１４側の底部から外方に突設され、残部１８ｂが本体１２の内部において長手方向（つまり、針２０側）に配設された細長の中空部材であり、その材質としては、合成樹脂や金属が用いられている。つまり、ルアー１０の外観上には、錘収容部１８の一部１８ａのみが現れている。
【００２８】
錘収容空間２４は、本体１２の外側に突出した突出部２４ａから本体１２の内部の長手方向（つまり、針２０側）にかけて延びており、突出部２４ａに錘１６を移動させたとき、錘１６の重心Ｇが本体１２の外側に位置するように形成されている。
【００２９】
なお、錘収容部１８は、２つの部材に割れるように形成されており、２つに割った状態で錘１６を配置し、その後、２つの部材を互いに接合することにより、錘１６が錘収容空間２４に収容されている。もちろん、上述のように、一体的に形成した本体１２と錘収容部１８とを２つの部材に割れるようにして、２つの部材を互いに接合することにより、錘１６を収容した状態で本体１２と錘収容部１８とを同時に形成できるようにしてもよい。
【００３０】
錘１６は、タングステン合金で形成された、直径が約４ｍｍの球状体であり、本実施例では、２つの錘１６が使用されている。なお、錘１６の材質は、タングステン合金に限られず、鉛など比重の大きい物質を用いることができるが、タングステン合金の比重は鉛の比重の約１．７倍であることから、質量が同じであれば、錘１６をよりコンパクトに形成することのできるタングステン合金を用いるのが好適である。また、１つのルアー１０に用いられる錘１６の個数は、本実施例のように２個に限られず、１個でもよいし、３個以上であってもよいが、錘１６の数が多いほど、本体１２の質量に対する錘１６の総質量が大きくなり、重心移動による効果が大きくなる反面、リトリーブ段階におけるルアー１０の動き（アクション）が不自然になって釣果が減少するおそれがある。このため、錘１６の数は、２個が好適であるといえる。さらに、錘１６の直径は、本実施例のものに限られず、そのルアー１０の特性（例えば、浅場を狙うルアーか、深場を狙うルアーかなど）によって適宜設定することができる。
【００３１】
針２０は、ルアー１０に食いついてきた魚（特にイカ）の口あるいは体に引っかけるための金属製部材であり、本体１２におけるラインアイ１４が取り付けられているのとは反対側の他方端部において、２セットの針２０が本体１２の軸長方向に連続して取り付けられている。もちろん、針２０の形状、針２０の本体１２に対する取付位置、および取付個数は、ルアーの特性や釣りの対象となる魚の特性によって適宜設定することができる。
【００３２】
ヒレ２２（図１）は、合成樹脂等で形成された羽根状部材であり、本体１２における長手方向の中程においてその一端が瞬間接着剤等によって本体１２の表面に取り付けられ、他端がラインアイ１４方向に延びるように配設されている。このヒレ２２は、リトリーブ段階において、水中でルアー１０の存在をイカにアピールする部材であると考えられており、ヒレ２２の有無により、釣果に大きな差が生じる。
【００３３】
目２３は、合成樹脂等で形成された部品であり、イカの好物であるエビの目を模している。
【００３４】
ルアー１０を使用してルアーフィッシングを行う際の作用効果について説明する。まず、キャスティング段階において、ルアー１０は、針２０を先頭とし、ラインアイ１４を後尾とした状態でポイントに向かって飛んでいく。このとき、遠心力を受けた錘１６が錘収容部１８の錘収容空間２４内をラインアイ１４から遠のく方向、つまり、針２０が取り付けられた、ルアー１０の先頭方向へ移動することになる。これにより、キャスティング中におけるルアー１０の重心位置が先頭側に来ることになり、ルアー１０のブレを抑えてより遠くへ安定して投げることができる。
【００３５】
次に、ルアー１０がポイントに着水し、釣り人がリールを巻き始めたリトリーブ段階に入ると、錘１６は、本体１２におけるラインアイ１４側の底部から外方に突設された錘収容部１８の一部１８ａ内（つまり、錘収容空間２４の突出部２４ａ）に移動する。このとき、錘１６の重心Ｇは、本体１２の外側に位置することになるので、ルアー１０の重心位置をより低くすることができる。
【００３６】
したがって、本発明を適用した上記実施例のルアー１０によれば、キャスティング段階における遠投性能を維持しつつ、錘１６の重心Ｇを本体１２の外側に位置させることにより、リトリーブ段階で要求される低重心性にも対応することができる。
【００３７】
なお、錘収容部１８における本体１２の内部にある部分（＝残部１８ｂ）の形状は、上述した実施例のようにストレート状に限られず、図３（ａ）に示すように、本体１２の底部に向かって凸湾曲した弓状であってもよく、また、図３（ｂ）に示すように、「く」字状であってもよい。
【００３８】
また、錘収容部１８の一部１８ａにおけるラインアイ１４側の先端部や底部は、水底の岩などに接触して損傷することが多いので、図４に示すように、錘収容部１８の一部１８ａを樹脂やブリキなどの金属で形成された保護キャップ３０で覆うようにしてもよい。また、損傷する箇所がピンポイントで予測できる場合には、当該箇所のみに保護部材（図示せず）を取り付けてもよい。
【００３９】
さらに、錘収容部１８の一部１８ａにおけるラインアイ１４側の先端部は、リトリーブ段階において水の抵抗を受けやすい部分であり、当該先端部形状の精度が悪い場合、ルアー１０のアクションが不自然になるおそれがあるので、図５に示すように、錘収容部１８の一部１８ａにおける先端部と本体１２の底面との間に薄い樹脂板３２を装着してもよい。これにより、樹脂板３２が舵の役割を果たしてルアー１０のアクションが不自然になるのを回避することができる。
【００４０】
（第２実施例）
第２実施例に係るルアー５０は、図６に示すように、大略、本体５２と、ラインアイ５４と、錘５６と、錘収容部材５８と、針６０とで構成されている。
【００４１】
本体５２には、ラインアイ５４側の底部に開口し、錘５６を移動可能に収容する内部空間Ａを有する穴６４が本体５２内の長手方向に設けられている。
【００４２】
錘収容部材５８は、内部に錘５６を収容する錘収容空間６６を有しており、この錘収容空間６６と錘収容部材５８の外部とを連通する連通孔６８が設けられた略箱状体である。そして、錘収容部材５８は、連通孔６８の位置を本体５２の穴６４の開口６２の位置に合わせて、穴６４の開口６２を覆うようにして本体５２におけるラインアイ５４側の底部に取り付けられている。
【００４３】
このようにして、本体５２における穴６４の内部空間Ａと錘収容部材５８の錘収容空間６６とは互いに連通され、穴６４に配設された錘５６が当該穴６４の内部空間Ａと錘収容空間６６とを往来できるようになっている。
【００４４】
また、錘収容部材５８の錘収容空間６６は、収容した錘５６の重心Ｇが本体５２の外側に位置するように形成されている。
【００４５】
これにより、第２実施例のルアー５０では、キャスティング段階において、遠心力を受けた錘５６が穴６４の底部、つまり、ラインアイ５４から遠のく方向（＝針６０が取り付けられた、ルアー５０の先頭方向）へ移動することにより、キャスティング中におけるルアー５０の重心位置が先頭に来ることになり、ルアー５０のブレを抑えてより遠くへ安定して投げることができる。
【００４６】
また、リトリーブ段階において、錘５６は、穴６４の内部空間Ａをラインアイ５４の方向へ移動し、最終的に錘収容部材５８の錘収容空間６６内に収容される。このとき、錘５６の重心Ｇが本体５２の外側に位置することになるので、ルアー５０の重心位置をより低くすることができる。
【００４７】
したがって、第２実施例のルアー５０によれば、キャスティング段階における遠投性能を維持しつつ、錘５６の重心Ｇを本体５２の外側に位置させることにより、リトリーブ段階で要求される低重心性にも対応することができる。    
【図面の簡単な説明】
【００４８】
【図１】第１実施例にかかるルアーを示す正面図である。
【図２】第１実施例にかかるルアーを示す断面図である。
【図３】本発明のルアーにかかる他の実施例を示す断面図である。
【図４】本発明のルアーにかかる他の実施例を示す正面図である。
【図５】本発明のルアーにかかる他の実施例を示す正面図である。
【図６】第２実施例にかかるルアーを示す断面図である。
【図７】従来技術に係るルアーを示す図である。
【図８】従来技術に係るルアーを示す図である。
【符号の説明】
【００４９】
１０…ルアー（第１実施例）
１２…本体
１４…ラインアイ
１６…錘
１８…錘収容部
２０…針
２２…ヒレ
２３…目
２４…錘収容空間
２４ａ…突出部
３０…保護キャップ
３２…樹脂板
５０…ルアー（第２実施例）
５２…本体
５４…ラインアイ
５６…錘
５８…錘収容部材
６０…針
６２…開口
６４…穴
６６…錘収容空間
６８…連通孔
【図１】
2010088354.tif 000003
【図２】
2010088354.tif 000004
【図３】
2010088354.tif 000005
【図４】
2010088354.tif 000006
【図５】
2010088354.tif 000007
【図６】
2010088354.tif 000008
【図７】
2010088354.tif 000009
【図８】
2010088354.tif 000010